(57)【要約】【課題】洗濯兼脱水槽の外面、水受け槽の内面に付着する洗剤カスを除去する機能を有する洗濯機において、洗濯兼脱水槽の外面と水受け槽の内面の間の洗濯液の流れに乱れを起こし撹乱の力が加わるようにして、洗濯兼脱水槽の外面と水受け槽の内面に付着した洗剤カスを除去し、洗剤カスの洗濯物への再付着を防止する。【解決手段】水受け槽１６の内部に洗濯兼脱水槽３を配設し、この洗濯兼脱水槽３をモータ６により回転駆動する。水受け槽１６の内面に水流撹乱部１７を設け、モータ６による洗濯兼脱水槽３の回転によって、水受け槽１６内の洗濯液に遠心力を作用させるとともに、水流撹乱部１７によって洗濯液を撹乱するように構成する。【選択図】  図１
2004305476.tif 000002
【特許請求の範囲】
【請求項１】
水受け槽の内部に配設した洗濯兼脱水槽と、前記洗濯兼脱水槽を回転駆動する駆動手段とを備え、前記水受け槽の内面に水流撹乱部を設け、前記駆動手段による前記洗濯兼脱水槽の回転によって、前記水受け槽内の洗濯液に遠心力を作用させるとともに、前記水流撹乱部によって洗濯液を撹乱するように構成した洗濯機。
【請求項２】
水流撹乱部によって洗濯液を撹乱する行程をすすぎ行程の終わりに有する請求項１記載の洗濯機。
【請求項３】
水流撹乱部によって洗濯液を撹乱する行程を洗い行程の終わりと、すすぎ行程の終わりとに有する請求項１または２記載の洗濯機。
【請求項４】
洗濯兼脱水槽の回転によって水受け槽内の洗濯液に遠心力を作用させ、遠心力を作用させた洗濯液が前記洗濯兼脱水槽の上面を超えないように前記洗濯兼脱水槽を回転駆動するように構成した請求項１〜３のいずれか１項に記載の洗濯機。
【請求項５】
洗濯兼脱水槽の回転によって水受け槽内の洗濯液に遠心力を作用させ、このときの水位を洗濯物の量に応じて設定した請求項１〜４のいずれか１項に記載の洗濯機。
【請求項６】
洗濯兼脱水槽の回転によって水受け槽内の洗濯液に遠心力を作用させ、このときの水位を前記洗濯兼脱水槽の回転数に応じて設定した請求項５記載の洗濯機。
【請求項７】
洗濯兼脱水槽の回転によって水受け槽内の洗濯液に遠心力を作用させ、発生した遠心力に応じて駆動手段の回転を制御するように構成した請求項１〜６のいずれか１項に記載の洗濯機。
【請求項８】
洗濯兼脱水槽の回転によって水受け槽内の洗濯液に遠心力を作用させ、水流撹乱部によって洗濯液を撹乱する行程の終わりにおいて、前記洗濯兼脱水槽の回転中から洗濯液の排水を始め、前記洗濯兼脱水槽を回転しながら排水するように構成した請求項１〜７のいずれか１項に記載の洗濯機。
【請求項９】
水流撹乱部は、水受け槽の内面の側面に少なくとも一つの突出リブを設けて構成した請求項１〜８のいずれか１項に記載の洗濯機。
【請求項１０】
水流撹乱部は、水受け槽の内面の側面に少なくとも一つの溝部を設けて構成した請求項１〜８のいずれか１項に記載の洗濯機。
【請求項１１】
水流撹乱部は、水受け槽内面の側面に少なくとも一つの突出リブまたは溝部を設けて構成し、前記突出リブまたは溝部は縦方向または斜め方向に長くした請求項１〜８のいずれか１項に記載の洗濯機。
【請求項１２】
水受け槽の内面に設けた溝部の入口角度を、洗濯兼脱水槽の回転の略接線方向と同じになるようにした請求項１０または１１記載の洗濯機。
【請求項１３】
水受け槽の内面に設けた溝部の出口角度を、洗濯兼脱水槽の回転の略法線方向と同じになるようにした請求項１０〜１２のいずれか１項に記載の洗濯機。
【発明の詳細な説明】
【０００１】
【発明の属する技術分野】
本発明は、洗濯兼脱水槽の外面、水受け槽の内面に付着する洗剤カスを除去する機能を有する洗濯機に関するものである。
【０００２】
【従来の技術】
従来、代表的な洗濯機は、パルセータを回転させて洗濯するものであり、この種の洗濯機の構成を図７を参照しながら説明する。
【０００３】
図７に示すように、外槽１は、底部にパルセータ２を回転自在に配設した洗濯兼脱水槽３を内包し、吊り棒４により筐体５に吊り下げている。モータ６は、減速機構兼クラッチ７を介して、パルセータ２または洗濯兼脱水槽３を駆動する。
排水弁８は洗濯兼脱水槽３内の洗濯液を排水し、給水弁９は洗濯兼脱水槽３内に給水するものである。
【０００４】
洗濯兼脱水槽３には脱水時の振動を低減させるための流体バランサ１０を設け、洗濯兼脱水槽３の上部には蓋１１を配設している。制御装置１２は、モータ６、排水弁８、給水弁９などを制御して、洗濯、すすぎ、脱水の一連の行程を逐次制御するものである（例えば、特許文献１参照）。
【０００５】
上記構成において動作を説明すると、洗濯兼脱水槽３に洗濯物１３と所定量の洗剤１４を投入した後、洗濯を開始すると制御装置１２により給水弁９を制御して洗濯兼脱水槽３内に所定量の水を給水し、その後制御装置１２により、モータ６を制御してパルセータ２を駆動する。パルセータ２の回転によって洗濯兼脱水槽３内の洗濯物１３と水とを撹拌し、この撹拌によって洗剤を徐々に溶解して洗濯液となり、洗濯物１３に付着した汚れを落す。
【０００６】
つぎに、洗濯物１３に残留付着した洗剤１４成分を取り除くために、汚れ、洗剤７成分を含んだ洗濯８を一度排水し、再び給水してパルセータ２を回転させ、洗濯物１３から洗剤１４成分を取り除くすすぎ行程を行う。すすぎ終了後は、すすぎに使った洗濯液を排水し、洗濯兼脱水槽３を回転させ、遠心力によって洗濯物１３に含まれた洗濯液を排出する脱水行程を行う。
【０００７】
また、従来の洗濯兼脱水槽を洗浄する手段としては、洗濯コースとは別に槽洗浄の専用のコースでパルセータなどの撹拌体を使うようにしていた（例えば、特許文献２参照）。
【０００８】
【特許文献１】
特開２００１−３７８２６号公報
【特許文献２】
特開平９−５６９７２号公報
【０００９】
【発明が解決しようとする課題】
このような従来の構成で洗濯を行うと、洗濯兼脱水槽３、水受け槽１内に発生した洗剤カス１５は槽外に排出されず残ることがあり、この洗剤カス１５は粘性を持った小さな塊で、洗濯液中を浮遊している。しかも、この洗剤カス１５は親油性を持っている。それ故、水受け槽１の材質は樹脂材料が多いため、油と油ということで非常に相性が良く、強固に吸着する。
【００１０】
また、洗濯兼脱水槽３の材質には、樹脂材料とステンレス材料がある。ステンレス材料の場合は、一見付着し難いように考えられるが、洗剤カス１５の粘性が高く、洗濯物中に含まれる皮脂等の油等の要因が重なって、樹脂に比べて吸着の効率が悪いが徐々に吸着していく。この粘性の高い洗剤カス１５が一度吸着すると、吸着力が強いので洗濯液の流れの力だけでは除去できないという問題を有していた。
【００１１】
また、洗剤カス１５の比重は水より小さく、洗濯液の上面近くに浮遊するために、洗濯液の排水時、水面付近の洗濯兼脱水槽３、水受け槽１の壁面に多く吸着する。この粘性の高い洗剤カス１５は僅か１時間程度で乾いてしまい、一層強固に固まってしまうので吸着すると、すぐに除去する必要がある。
【００１２】
この洗剤カス１５の付着が洗濯のたびに繰り返され、しかも、洗剤カス１５は、微生物、バクテリア等の餌になり、しかも、槽中は湿度が高いため、菌の成長を促し、かびの元になるので、吸着しないようにすることが必要で、また、吸着してもすぐに除去する必要がある。
【００１３】
しかし、従来の構成では、洗濯兼脱水槽３内に発生した洗剤カス１５は、洗濯兼脱水槽３の回転によって生じる洗濯液の流れの力に加え、パルセータ２の撹拌によって生じる洗濯液の撹乱の力が合わされることによって、洗濯兼脱水槽３内の壁面に吸着した洗剤カス１５を除去することができるが、洗濯兼脱水槽３の外面と水受け槽１の内面の間に発生した洗剤カス１５は、この間は洗濯兼脱水槽３の回転によって生じる洗濯液の流れしかないので、壁面に吸着した洗剤カス１５を除去するだけの力は得られず、洗濯兼脱水槽３の外面と水受け槽１の内面の壁面に洗剤カス１５が吸着したまま残ってしまうという問題を有していた。
【００１４】
本発明は上記従来の課題を解決するもので、洗濯兼脱水槽の外面と水受け槽の内面の間の洗濯液の流れに乱れを起こし撹乱の力が加わるようにして、洗濯兼脱水槽の外面と水受け槽の内面に付着した洗剤カスを除去し、洗剤カスの洗濯物への再付着を防止することを目的としている。
【００１５】
【課題を解決するための手段】
本発明は上記目的を達成するために、水受け槽の内部に洗濯兼脱水槽を配設しこの洗濯兼脱水槽を駆動手段により回転駆動するよう構成し、水受け槽の内面に水流撹乱部を設け、駆動手段による洗濯兼脱水槽の回転によって、水受け槽内の洗濯液に遠心力を作用させるとともに、水流撹乱部によって洗濯液を撹乱するように構成したものである。
【００１６】
これにより、洗濯兼脱水槽の外面と水受け槽の内面の間の洗濯液の流れに乱れを起こし撹乱の力が加わるようにできて、洗濯兼脱水槽の外面と水受け槽の内面に付着した洗剤カスを除去することができ、洗剤カスの洗濯物への再付着を防止することができる。
【００１７】
【発明の実施の形態】
本発明の請求項１に記載の発明は、水受け槽の内部に配設した洗濯兼脱水槽と、前記洗濯兼脱水槽を回転駆動する駆動手段とを備え、前記水受け槽の内面に水流撹乱部を設け、前記駆動手段による前記洗濯兼脱水槽の回転によって、前記水受け槽内の洗濯液に遠心力を作用させるとともに、前記水流撹乱部によって洗濯液を撹乱するように構成したものであり、洗濯兼脱水槽の外面と水受け槽の内面の間の洗濯液の流れに乱れを起こし撹乱の力が加わるようにできて、洗濯兼脱水槽の外面と水受け槽の内面に付着した洗剤カスを除去することができ、洗剤カスの洗濯物への再付着を防止することができる。
【００１８】
請求項２に記載の発明は、上記請求項１に記載の発明において、水流撹乱部によって洗濯液を撹乱する行程をすすぎ行程の終わりに有するものであり、洗濯、すすぎ行程で、洗濯兼脱水槽の外面と水受け槽の内面の壁面に吸着した洗剤カスを、洗剤カスが乾かないままに効率的に除去することができる。
【００１９】
請求項３に記載の発明は、上記請求項１または２に記載の発明において、水流撹乱部によって洗濯液を撹乱する行程を洗い行程の終わりと、すすぎ行程の終わりとに有するものであり、洗い行程だけ、すすぎ行程だけという洗濯機の使い方にも対応することができ、しかも、洗剤カスの付着は洗濯、すすぎの両行程で付着するので、都度対応することで洗剤カス除去効率を上げることができる。
【００２０】
請求項４に記載の発明は、上記請求項１〜３に記載の発明において、洗濯兼脱水槽の回転によって、水受け槽内の洗濯液に遠心力を作用させ、遠心力を作用させた洗濯液が、前記洗濯兼脱水槽の上面を超えないように前記洗濯兼脱水槽を回転駆動するように構成したものであり、水流撹乱部の撹乱の力により、除去された洗剤カスを含んだ洗濯液が洗濯兼脱水槽の上面を超え、洗濯兼脱水槽内の洗濯物にかかり、洗剤カスを付着させるという再汚染を防止することができる。
【００２１】
請求項５に記載の発明は、上記請求項１〜４に記載の発明において、洗濯兼脱水槽の回転によって水受け槽内の洗濯液に遠心力を作用させるときの水位を洗濯物の量に応じて設定したものであり、洗濯物の量が多くなるほど水位を低く設定する。つまり、水流撹乱部によって洗濯液を撹乱するために、洗濯兼脱水槽を回転させて水受け槽の洗濯液に遠心力を作用させたとき、洗濯物の量が多い場合には、洗濯物から洗濯液が多量に出ることによって、回転中の洗濯液の水位も大きく上昇するために、遠心力を作用させる前の水位を低くし、洗濯物の量が少ないと遠心力を作用させる前の水位を高くすると、回転中の水位上昇を制御することができる。よって、洗濯物の量に関係なく洗濯兼脱水槽の外面と水受け槽の内面の間の回転中の洗濯液の水位をほぼ同じにすることができ、洗濯兼脱水槽の外面と水受け槽の内面に付着した洗剤カスを除去することができる。
【００２２】
請求項６に記載の発明は、上記請求項５に記載の発明において、洗濯兼脱水槽の回転によって水受け槽内の洗濯液に遠心力を作用させ、このときの水位を前記洗濯兼脱水槽の回転数に応じて設定したものであり、この場合の発生する遠心力の大きさは、洗濯液の水位の高さと回転数の関係で成り立つ。つまり、洗濯兼脱水槽の回転数が高くなるほど遠心力を作用させる前の洗濯液の水位を低く設定することで、水受け槽内の洗濯液の水位に関係なく洗濯兼脱水槽の外面と水受け槽の内面の間の洗濯液に与えるエネルギーをほぼ同じにすることができ、回転中の水位上昇を制御することができ、洗濯兼脱水槽の外面と水受け槽の内面に付着した洗剤カスを円滑に除去することができる。
【００２３】
請求項７に記載の発明は、上記請求項１〜６に記載の発明において、洗濯兼脱水槽の回転によって水受け槽内の洗濯液に遠心力を作用させ、発生した遠心力に応じて駆動手段の回転を制御するように構成したものであり、この場合の発生する遠心力の大きさは、洗濯液の水位の高さと回転数の関係で成り立つ。つまり、同じ水位に上げるのには同じエネルギーが必要で、エネルギー量が足らなければ洗濯兼脱水槽の回転数を上げ、エネルギー量が超えていれば回転数を下げることにより、洗濯液が洗濯兼脱水槽の上面を超えず、かつ、洗濯兼脱水槽、水受け槽の上部まで安定して、洗濯液の水位を上げることができ、洗剤カスを除去することができる。
【００２４】
請求項８に記載の発明は、上記請求項１〜７に記載の発明において、洗濯兼脱水槽の回転によって水受け槽内の洗濯液に遠心力を作用させ、水流撹乱部によって洗濯液を撹乱する行程の終わりにおいて、前記洗濯兼脱水槽の回転中から洗濯液の排水を始め、前記洗濯兼脱水槽を回転しながら排水するように構成したものであり、洗濯兼脱水槽の回転中は洗濯液に遠心力が加わっているので、外周方向に力が働いているが、回転を急に止めると外向きの力がなくなり、洗濯兼脱水槽の内部へ汚れを除去した洗濯液が洗剤カスとともに洗濯兼脱水槽内に入ってくることがあり、そのために、外向きの力を与えつつ排水をすることで、水流撹乱部により除去された洗剤カスが洗濯兼脱水槽に侵入するのを防ぎ、洗濯兼脱水槽内の洗濯物に洗剤カスが再付着するのを防止することができる。
【００２５】
請求項９に記載の発明は、上記請求項１〜８に記載の発明において、水流撹乱部は、水受け槽の内面の側面に少なくとも一つの突出リブを設けて構成したものであり、簡単に水流撹乱部を構成することができる。
【００２６】
請求項１０に記載の発明は、上記請求項１〜８に記載の発明において、水流撹乱部は、水受け槽の内面の側面に少なくとも一つの溝部を設けて構成したものであり、水流撹乱部により水受け槽の内面と洗濯兼脱水槽の外面の間の通路の一部を狭くすることもないので、この間を通過する洗濯液の抵抗を増やすことがなく、突出リブに比べて洗濯兼脱水槽を回転させるエネルギーを小さく抑えることができる。
【００２７】
請求項１１に記載の発明は、上記請求項１〜８に記載の発明において、水流撹乱部は、水受け槽内面の側面に少なくとも一つの突出リブまたは溝部を設けて構成し、前記突出リブまたは溝部は縦方向または斜め方向に長くしたものであり、水受け槽、洗濯兼脱水槽の下部から上部まで、すべての範囲において水流撹乱部の撹拌の力を与えることができる。
【００２８】
請求項１２に記載の発明は、上記請求項１０または１１に記載の発明において、水受け槽の内面に設けた溝部の入口角度を、洗濯兼脱水槽の回転の略接線方向と同じになるようにしたものであり、溝部に円滑に洗濯液の流れを導くことができるので、水流撹乱部の作用の効率を向上することができる。
【００２９】
請求項１３に記載の発明は、上記請求項１０〜１２に記載の発明において、水受け槽の内面に設けた溝部の出口角度を、洗濯兼脱水槽の回転の略法線方向と同じになるようにしたものであり、溝部に導いた流れを効率よく撹乱することができ、また、洗濯兼脱水槽を脱水回転させるときは逆回転させると、水流撹乱部による抵抗を小さく抑えることができる。
【００３０】
【実施例】
以下、本発明の実施例について、図面を参照しながら説明する。なお、従来例と同じ構成のものは、同一符号を付して説明を省略する。
【００３１】
（実施例１）
図１に示すように、水受け槽１６は、内面の側面に水流撹乱部１７を設け、モータ（駆動手段）６による洗濯兼脱水槽３の回転によって、水受け槽１６内の洗濯液に遠心力を作用させるとともに、水流撹乱部１７によって洗濯液を撹乱するように構成している。
【００３２】
水流撹乱部１７は、図２および図３に示すように、水受け槽１６の内面の側面に、縦方向に長い溝部１８を設け、溝部１８の入口角度を洗濯兼脱水槽３の回転の略接線方向と同じにし、溝部１８の出口角度を洗濯兼脱水槽３の回転の略法線方向と同じになるようにしている。
【００３３】
制御装置１９は、モータ６、排水弁８、給水弁９などを制御して、洗濯、すすぎ、脱水の一連の行程を逐次制御するとともに、図４に示すように、洗濯兼脱水槽３の回転によって水受け槽１６内の洗濯液に遠心力を作用させ、水流撹乱部１７によって洗濯液を撹乱する撹乱行程をすすぎ行程の終わりに実行するように構成している。
【００３４】
ここで、撹乱行程にて、遠心力を作用させた洗濯液が洗濯兼脱水槽３の上面を超えないように洗濯兼脱水槽３を回転駆動するように構成し、このときの洗濯液の水位を洗濯物の量に応じて設定し、この設定水位は、洗濯物１３の量が多くなるほど低くなるようにするとよい。
【００３５】
また、撹乱行程にて、水流撹乱部１７によって洗濯液を撹乱する行程の終わりに、洗濯兼脱水槽３の回転中から洗濯液の排水を始め、洗濯兼脱水槽３を回転しながら排水するように構成している。
【００３６】
上記において動作を説明する。洗濯槽兼脱水槽３内に洗濯物１３と洗剤１４を投入し、洗濯液８を所定水位まで入れ、制御装置１９によりモータ６を回転駆動させ、洗濯兼脱水槽３またはパルセータ２を回転させて、洗濯物１３に付着した汚れを落す洗い行程を行う。
【００３７】
つぎに、洗濯物１３に残留付着した洗剤１４成分を取り除くために、汚れ、洗剤１４成分を含んだ洗濯液を一度排水し、再び給水して洗濯兼脱水槽３またはパルセータ２を回転させ、洗濯物１３から洗剤１４成分を取り除くすすぎ行程を行う。すすぎ終了後は、すすぎに使った洗濯液を排水し、洗濯兼脱水槽３を回転させて遠心力によって洗濯物１３に含まれた洗濯液を排出する脱水行程を行う。
【００３８】
すすぎ行程の終わりに、洗濯液の排水の途中に所定水位で排水を止め、洗濯兼脱水槽３を図２の矢印ａ方向に回転させることによって、水受け槽１６内の洗濯液に遠心力を作用させ、水流撹乱部１７によって、洗濯液を撹乱させる撹乱行程を実行する。この撹乱行程では、洗濯兼脱水槽３の回転によって発生した遠心力の大きさに応じて、モータ６の回転を制御し、水受け槽１６の洗濯液に遠心力を作用させた洗濯液が洗濯兼脱水槽３の上面を超えないように、洗濯兼脱水槽３の回転を制御する。
【００３９】
よって、従来の洗濯機では水受け槽１６の内面に水流撹乱部１７がないため、洗濯兼脱水槽３の回転によって生じる洗濯液の流れしかないので、洗濯兼脱水槽３の外面と水受け槽１６の内面の間の壁面に吸着した洗剤カス１５を除去するだけの力が得られず、洗濯兼脱水槽３外面と水受け槽１６内面の壁面に洗剤カス１５が吸着したまま残っていたが、本実施例では、水受け槽１６の内面に水流撹乱部１７を設けることにより、水流撹乱部１７の溝部１８に流れが衝突したときに、図２の矢印ｂのように渦流が起こり、流れの乱れが起こって撹乱の力が加わるので、洗剤カス１５を除去することができる。
【００４０】
また、この洗濯兼脱水槽３の回転数は、高いほど水流撹乱部１７の流れの乱れの力が大きく洗剤カス１５の除去に有効である。よって、モータ６の出力を抑えるためにも、洗濯兼脱水槽３を回転させ、水受け槽１６の洗濯液に遠心力を与えるための洗濯液の水位は低い方がよい。
【００４１】
また、撹乱行程をすすぎ行程の終わりにしたことにより、洗濯、すすぎ行程で、洗濯兼脱水槽３の外面と水受け槽１６の内面の壁面に吸着した洗剤カス１５を効率的に除去することができる。また、すすぎ行程の終わりであるため、洗剤カス１５が乾いていないので、流れの乱れの力で除去することができる。しかも、洗濯液の撹乱行程後は、脱水行程であるために、除去後の洗剤カス１５の再付着がない。
【００４２】
また、遠心力を作用させた洗濯液が洗濯兼脱水槽３の上面を超えないようにしたことにより、水流撹乱部１７の撹乱の力により、除去された洗剤カス１５を含んだ洗濯液が洗濯兼脱水槽３の上面を超え、洗濯兼脱水槽３内の洗濯物１３にかかり、洗剤カス１５を付着させる再汚染を防止することができる。
【００４３】
また、遠心力を作用させる行程の水位を、洗濯物１３の量に応じた水位としたことにより、水流撹乱部１７によって洗濯液を撹乱するために、洗濯兼脱水槽３を回転させて水受け槽１６の洗濯液に遠心力を作用させたときに、洗濯物１３から洗濯液が多量に出ることによって、回転中の洗濯液の水位が大きく上昇するために、あらかじめその上昇する水位を設定することにより、回転中のねらいの水位上昇をより制御することができる。
【００４４】
また、遠心力の大きさは、洗濯液の水位の高さとエネルギー保存の法則が成り立つ。つまり、同じ水位に上げるのには同じエネルギーがいるということである。よって、エネルギー量が足らなければ、洗濯兼脱水槽３の回転数を上げ、エネルギー量が超えていれば、回転数を下げればよいのである。したがって、洗濯兼脱水槽３の回転によって水受け槽１６内の洗濯液に発生した遠心力に応じて、モータ６の回転を制御することにより、洗濯液が洗濯兼脱水槽３の上面を超えず、かつ、洗濯兼脱水槽３、水受け槽１６の上部まで安定して、洗濯液の水位を上げることができる。このエネルギー量の判定には、モータ６の電流値を使用すると制御が簡単である。
【００４５】
また、洗濯兼脱水槽３の回転中は、洗濯液に遠心力の力が加わっているので、外周方向に力が働いているが、回転を急に止めると外向きの力がなくなり、洗濯兼脱水槽３の内部へ汚れを除去した洗濯液が洗剤カス１５と共に槽内に入ってくることがあるが、本実施例では、撹乱行程の終わりにおいて、洗濯兼脱水槽３の回転中から洗濯液の排水を初め、洗濯兼脱水槽３を回転しながら排水するようにすることにより、外向きの力を与えつつ排水するので、水流撹乱部１７により除去された洗剤カス１５が洗濯兼脱水槽３に侵入するのを防ぎ、洗濯兼脱水槽３内の洗濯物１３に洗剤カス１５を付着するのを防ぐことができる。
【００４６】
以上のように本実施例によれば、水受け槽１６の内面に水流撹乱部１７を設け、モータ６による洗濯兼脱水槽３の回転によって、水受け槽１６内の洗濯液に遠心力を作用させるとともに、水流撹乱部１７によって洗濯液を撹乱するように構成したので、洗濯兼脱水槽３の外面と水受け槽１６の内面の間の洗濯液の流れに乱れを起こし撹乱の力が加わるようにできて、洗濯兼脱水槽３の外面と水受け槽１６の内面に付着した洗剤カス１５を除去することができ、洗剤カス１５の洗濯物への再付着を防止することができる。
【００４７】
また、水流撹乱部１７によって洗濯液を撹乱する行程をすすぎ行程の終わりに有するので、洗濯、すすぎ行程で、洗濯兼脱水槽３の外面と水受け槽１６の内面の壁面に吸着した洗剤カスを、洗剤カスが乾かないままに効率的に除去することができる。
【００４８】
また、洗濯兼脱水槽３の回転によって遠心力を作用させた水受け槽１６内の洗濯液が、洗濯兼脱水槽３の上面を超えないように洗濯兼脱水槽３を回転駆動するように構成したので、水流撹乱部１７の撹乱の力により、除去された洗剤カスを含んだ洗濯液が洗濯兼脱水槽３の上面を超え、洗濯兼脱水槽３内の洗濯物にかかり、洗剤カスを付着させるという再汚染を防止することができる。
【００４９】
また、洗濯兼脱水槽３の回転によって水受け槽１６内の洗濯液に遠心力を作用させるときの水位を洗濯物の量に応じて設定したので、水流撹乱部１７によって洗濯液を撹乱するとき、洗濯物の量に関係なく洗濯兼脱水槽３の外面と水受け槽１６の内面の間の回転中の洗濯液の水位をほぼ同じにすることができ、洗濯兼脱水槽３の外面と水受け槽１６の内面に付着した洗剤カス１５を除去することができる。
【００５０】
また、洗濯兼脱水槽３の回転によって水受け槽１６内の洗濯液に遠心力を作用させるときの水位を洗濯兼脱水槽３の回転数に応じて設定したので、洗濯兼脱水槽３の回転数が高くなるほど洗濯液の水位を低く設定することで、水受け槽１６内の洗濯液の水位に関係なく洗濯兼脱水槽３の外面と水受け槽１６の内面の間の洗濯液に与えるエネルギーをほぼ同じにすることができ、回転中の水位上昇を制御することができる。よって、洗濯兼脱水槽３の外面と水受け槽１６の内面に付着した洗剤カスを円滑に除去することができる。
【００５１】
また、洗濯兼脱水槽３の回転によって水受け槽１６内の洗濯液に遠心力を作用させ、発生した遠心力に応じてモータ６の回転を制御するように構成したのであり、洗濯液が洗濯兼脱水槽３の上面を超えず、かつ、洗濯兼脱水槽３、水受け槽１６の上部まで安定して、洗濯液の水位を上げることができ、洗剤カス１６を除去することができる。
【００５２】
また、水流撹乱部１７によって洗濯液を撹乱する行程の終わりにおいて、洗濯兼脱水槽３の回転中から洗濯液の排水を始め、洗濯兼脱水槽３を回転しながら排水するように構成したので、洗濯兼脱水槽３の回転中に洗濯液に遠心力を加得ることにより外向きの力を与えつつ排水をすることで、水流撹乱部１７により除去された洗剤カス１５が洗濯兼脱水槽３内に侵入するのを防ぎ、洗濯兼脱水槽３内の洗濯物に洗剤カス１５が再付着するのを防止することができる。
【００５３】
また、水流撹乱部１７は、水受け槽１６の内面の側面に溝部１８を設けて構成したので、水流撹乱部１７により水受け槽１６の内面と洗濯兼脱水槽３の外面の間の通路の一部を狭くすることもないので、この間を通過する洗濯液の抵抗を増やすことがなく、洗濯兼脱水槽３を回転させるエネルギーを小さく抑えることができる。
【００５４】
また、水流撹乱部１７は、水受け槽１６内面の側面に溝部１８を設けて構成し、溝部１８は縦方向に長くしたので、水受け槽１６、洗濯兼脱水槽３の下部から上部まで、すべての範囲において水流撹乱部１７の撹拌の力を与えることができる。
【００５５】
また、水受け槽１６の内面に設けた溝部１８の入口角度を、洗濯兼脱水槽３の回転の略接線方向と同じになるようにしたので、溝部１８に円滑に洗濯液の流れを導くことができるので、水流撹乱部１７の作用の効率を向上することができる。
【００５６】
また、水受け槽１６の内面に設けた溝部１８の出口角度を、洗濯兼脱水槽３の回転の略法線方向と同じになるようにしたので、溝部１８に導いた流れを効率よく撹乱することができ、また、洗濯兼脱水槽３を脱水回転させるときは逆回転させると、水流撹乱部１７による抵抗を小さく抑えることができる。
【００５７】
なお、本実施例では、水流撹乱部１７によって洗濯液を撹乱する撹乱行程をすすぎ行程の終わりに設けているが、洗い行程の終わりと、すすぎ行程の終わりとに設けることにより、洗い行程だけ、すすぎ行程だけという洗濯機の使い方にも対応することができ、しかも、洗剤カスの付着は洗濯、すすぎの両行程で付着するので、都度対応することで洗剤カス除去効率を上げることができる。
【００５８】
また、本実施例では、水流撹乱部１７は、水受け槽１６の内面の側面に縦方向に長い溝部１８を設けているが、斜め方向に長く設けてもよく、同様の作用、効果を得ることができる。
【００５９】
（実施例２）
図５に示すように、水受け槽２０は、内面の側面に縦方向に長い突出リブにより構成した水流撹乱部２１を設け、上記実施例１と同様に、モータによる洗濯兼脱水槽の回転によって、水受け槽２０内の洗濯液に遠心力を作用させるとともに、水流撹乱部２１によって洗濯液を撹乱するように構成している。
【００６０】
制御装置は、図６に示すように、洗濯兼脱水槽の回転によって水受け槽２０内の洗濯液に遠心力を作用させ、水流撹乱部１７によって洗濯液を撹乱する撹乱行程を洗い行程の終わりとすすぎ行程の終わりの両方に実行するように構成している。他の構成は上記実施例１と同じである。
【００６１】
上記において動作を説明する。なお、洗い行程から脱水行程までの基本的な動作は上記実施例１の動作と同じであるので説明を省略する。
【００６２】
洗い行程の終わりとすすぎ行程の終わりに、洗濯液の排水の途中に所定水位で排水を止め、洗濯兼脱水槽を回転させることによって、水受け槽２０内の洗濯液に遠心力を作用させ、水流撹乱部２１によって、洗濯液を撹乱させる撹乱行程を実行する。
【００６３】
よって、洗濯兼脱水槽の回転によって生じる洗濯液の流れが水流撹乱部２１に衝突したときに、上記実施例１と同様に、渦流が起こり、流れの乱れが起こって撹乱の力が加わるので、洗剤カスを除去することができる。
【００６４】
これにより、水流撹乱部２１は、別部品も入らず、組み立ての手間もいらず、金型に溝を掘るだけという簡単な手段等だけで、水流撹乱部２１を構成することができる。
【００６５】
また、撹乱行程を洗い行程の終わりと、すすぎ行程の終わりの両方の行程に設けたことにより、洗いだけ、すすぎだけという洗濯機の使い方にも対応することができる。しかも、この洗剤カスの付着は洗い、すすぎの両行程で付着するので、都度対応する方が除去の効率を向上することができる。
【００６６】
このように本実施例によれば、水流撹乱部２１によって洗濯液を撹乱する行程を洗い行程の終わりと、すすぎ行程の終わりとに有するので、洗い行程だけ、すすぎ行程だけという洗濯機の使い方にも対応することができ、しかも、洗剤カスの付着は洗濯、すすぎの両行程で付着するので、都度対応することで洗剤カス除去効率を上げることができる。
【００６７】
また、水流撹乱部２１は、水受け槽２０の内面の側面に突出リブを設けて構成したので、別部品も入らず、組み立ての手間もいらず、金型に溝を掘るだけで簡単に水流撹乱部２１を構成することができる。
【００６８】
なお、本実施例では、水流撹乱部２１によって洗濯液を撹乱する撹乱行程を洗い行程の終わりと、すすぎ行程の終わりに設けているが、すすぎ行程の終わりに設けることにより、洗剤カスを除去することができる。
【００６９】
また、本実施例では、水流撹乱部２１は、水受け槽２０の内面の側面に縦方向に長い突出リブを設けているが、斜め方向に設けてもよく、同様の作用、効果を得ることができる。
【００７０】
【発明の効果】
以上のように本発明の請求項１に記載の発明によれば、水受け槽の内面に水流撹乱部を設け、駆動手段による洗濯兼脱水槽の回転によって、水受け槽内の洗濯液に遠心力を作用させるとともに、水流撹乱部によって洗濯液を撹乱するように構成したから、洗濯兼脱水槽の外面と水受け槽の内面の間の洗濯液の流れに乱れを起こし撹乱の力が加わるようにできて、洗濯兼脱水槽の外面と水受け槽の内面に付着した洗剤カスを除去することができ、洗剤カスの洗濯物への再付着を防止することができる。
【図面の簡単な説明】
【図１】本発明の第１の実施例の洗濯機の断面図
【図２】同洗濯機の水流撹乱部の拡大横断面図
【図３】同洗濯機の水受け槽の横断面図
【図４】同洗濯機の要部行程図
【図５】本発明の第２の実施例の洗濯機の水受け槽の横断面図
【図６】同洗濯機の要部行程図
【図７】従来の洗濯機の断面図
【符号の説明】
３  洗濯兼脱水槽
６  モータ（駆動手段）
１６  水受け槽
１７  水流撹乱部
【図１】
2004305476.tif 000003
【図２】
2004305476.tif 000004
【図３】
2004305476.tif 000005
【図４】
2004305476.tif 000006
【図５】
2004305476.tif 000007
【図６】
2004305476.tif 000008
【図７】
2004305476.tif 000009